(57)【要約】  無線通信において電力許可を調整する方法および装置。複数の電力許可テーブルが格納されており、通信中に１つまたは複数のテーブルが指定される。
2010518698.tif 000002
【特許請求の範囲】
【請求項１】
無線送受信ユニット（ＷＴＲＵ）に電力許可を与える方法であって、
複数の電力許可テーブルを格納するステップと、
通信中に電力レベルを許可するためにどのテーブルが使用されるかを指定する信号を受信するステップと
を具えたことを特徴とする方法。
【請求項２】
各電力許可テーブルはより大きいテーブルの一部分であり、前記信号は電力レベルを許可するために使用される前記部分を指定することを特徴とする請求項１記載の方法。
【請求項３】
前記指定することは使用されている変調型に基づいていることを特徴とする請求項１記載の方法。
【請求項４】
前記信号の中のオフセット値を受信するステップと、
使用される前記部分を指定するために前記オフセット値を使用するステップと
を含むことを特徴とする請求項２記載の方法。
【請求項５】
前記より大きいテーブルの中の各電力値にインデックスを割り当てるステップと、
前記部分の始めを示すインデックスへのポインタとして前記オフセット値を使用するステップとによって、使用される部分を指定するステップと
を含むことを特徴とする請求項４記載の方法。
【請求項６】
前記変調型は直交振幅変調（ＱＡＭ）型であることを特徴とする請求項３記載の方法。
【請求項７】
前記ＱＡＭ型は二値位相偏移符号化（ＢＰＳＫ）および１６シンボルのＱＡＭ（１６ＱＡＭ）のうちの１つであることを特徴とする請求項６記載の方法。
【請求項８】
前記ＷＴＲＵとの通信の最初のセットアップの一部としてどのテーブルが使用されるかを指定するステップを含むことを特徴とする請求項１記載の方法。
【請求項９】
前記最初のセットアップに使用することができるビット数により、電力許可テーブルを指定するために前記オフセット値を使用するステップを含むことを特徴とする請求項４記載の方法。
【請求項１０】
直接送信として前記オフセット値を受信するステップを含むことを特徴とする請求項４記載の方法。
【請求項１１】
チャネルの中の相対的なスロットのオフセットとして前記オフセット値を受信するステップを含むことを特徴とする請求項４記載の方法。
【請求項１２】
ハイブリッド無線ネットワーク一時識別子（Ｈ−ＲＮＴＩ）の関数として前記オフセット値を受信するステップを含むことを特徴とする請求項４記載の方法。
【請求項１３】
拡張された絶対許可チャネル（Ｅ−ＡＧＣＨ）に使用される符号として前記オフセット値を受信するステップを含むことを特徴とする請求項４記載の方法。
【請求項１４】
拡張された絶対許可チャネル（Ｅ−ＡＧＣＨ）に使用されるチャネル番号として前記オフセット値を受信するステップを含むことを特徴とする請求項４記載の方法。
【請求項１５】
前記指定されたテーブルは通信接続の継続時間を通して変更されないことを特徴とする請求項１記載の方法。
【請求項１６】
前記テーブルの指定は通信接続の間に再構成可能であることを特徴とする請求項１記載の方法。
【請求項１７】
無線リソース制御（ＲＲＣ）シグナリングにより無線アクセスネットワーク（ＲＡＮ）の中で信号を送ることによって前記指定されたテーブルを受信するステップを含むことを特徴とする請求項１記載の方法。
【請求項１８】
レイヤ２またはレイヤ３シグナリングを使用して前記指定を再構成するステップを含むことを特徴とする請求項１６記載の方法。
【請求項１９】
前記指定されたテーブルは各トランスポートブロックについて動的に信号で伝えられることを特徴とする請求項１７記載の方法。
【請求項２０】
前記複数のテーブルは第三世代パートナーシッププロジェクト（３ＧＰＰ）規格書２５．２１２、バーション７．５．０、セクション４．１０．１Ａ．１の中のテーブル１６Ｂおよび１６Ｂ．１２を含むことを特徴とする請求項１記載の方法。
【請求項２１】
前記テーブルは第三世代パートナーシッププロジェクト（３ＧＰＰ）規格書２５．３３１、バーション７．５．０、セクション１０．３．６．８６ａを使用して定義されることを特徴とする請求項１記載の方法。
【請求項２２】
前記より大きいテーブルは第三世代パートナーシッププロジェクト（３ＧＰＰ）規格書２５．２１２、バーション７．５．０、セクション４．１０．１Ａ．１の中のテーブル１６Ｂに電力値を追加することによって得られることを特徴とする請求項２記載の方法。
【請求項２３】
前記追加された電力値は１６ＱＡＭ変調に使用されることを特徴とする請求項２２記載の方法。
【請求項２４】
第１および第２の電力許可テーブルを格納することを含み、前記第２のテーブルは前記第１のテーブルから得られることを特徴とする請求項１記載の方法。
【請求項２５】
前記第１および第２のテーブルは前記ＷＴＲＵの中に前もって構成されていることを特徴とする請求項２４記載の方法。
【請求項２６】
前記第２のテーブルは前記第１のテーブルの中の電力レベル間の間隔を大きくすることによって得られることを特徴とする請求項２４記載の方法。
【請求項２７】
前記第１のテーブルは第三世代パートナーシッププロジェクト（３ＧＰＰ）規格書２５．２１２、バーション７．５．０、セクション４．１０．１Ａ．１の中のテーブル１６Ｂであることを特徴とする請求項２４記載の方法。
【請求項２８】
前記第１のテーブルは第三世代パートナーシッププロジェクト（３ＧＰＰ）規格書２５．２１２、バーション７．５．０、セクション４．１０．１Ａ．１の中のテーブル１６Ｂ．１２であることを特徴とする請求項２４記載の方法。
【請求項２９】
ＲＣＣシグナリングにより前記第１のテーブルを信号で伝えることを含むことを特徴とする請求項２４記載の方法。
【請求項３０】
前記間隔は前記ＷＴＲＵの中に前もって構成されていることを特徴とする請求項２６記載の方法。
【請求項３１】
ＲＣＣシグナリングにより前記間隔を信号で伝えることを含むことを特徴とする請求項２６記載の方法。
【請求項３２】
ＲＣＣシグナリングにより前記間隔を動的に再構成することを含むことを特徴とする請求項３１記載の方法。
【請求項３３】
前記第２のテーブル全体を前記ＷＴＲＵに信号で伝えることを含むことを特徴とする請求項２４記載の方法。
【請求項３４】
前記第２のテーブルの最初と最後の電力値を信号で伝えることによって前記間隔を前記ＷＴＲＵに信号で伝えることを含むことを特徴とする請求項２６記載の方法。
【請求項３５】
複数の電力許可テーブルを格納するように構成されたメモリと、
通信中に電力レベルを許可するためにどのテーブルが使用されるかを指定する信号を受信するように構成された受信機と、
前記許可された電力レベルを使用して情報を送信するように構成された送信機と、
前記信号を処理し、使用される前記許可テーブルを指定し、かつ前記指定したテーブルに基づいて送信電力を制御するように構成されたプロセッサと
を具えたことを特徴とする無線送受信ユニット（ＷＴＲＵ）。
【請求項３６】
前記プロセッサは使用される前記許可テーブルとしてより大きいテーブルの一部分を指定するように構成されることを特徴とする請求項３５記載のＷＴＲＵ。
【請求項３７】
前記プロセッサは変調型に基づいて前記許可テーブルを指定するように構成されることを特徴とする請求項３５記載のＷＴＲＵ。
【請求項３８】
前記受信機は前記部分を指定するためにオフセット値を受信するように構成されることを特徴とする請求項３６記載のＷＴＲＵ。
【請求項３９】
前記メモリは各電力値についてのインデックスを含んでいるテーブルを格納するように構成され、前記プロセッサは前記部分の始めを示すインデックスへのポインタとして前記オフセット値を使用することによって使用される前記部分を指定するように構成されることを特徴とする請求項３８記載のＷＴＲＵ。
【請求項４０】
前記変調型は直交振幅変調（ＱＡＭ）型であることを特徴とする請求項３７記載のＷＴＲＵ。
【請求項４１】
前記ＱＡＭ型は二位相偏移符号化（ＢＰＳＫ）および１６シンボルのＱＡＭ（１６ＱＡＭ）のうちの１つであることを特徴とする請求項４０記載のＷＴＲＵ。
【請求項４２】
前記プロセッサは前記ＷＴＲＵとの通信の最初のセットアップの一部としてどのテーブルが使用されるかを指定するように構成されることを特徴とする請求項３５記載のＷＴＲＵ。
【請求項４３】
前記プロセッサは前記最初のセットアップで使用することができるビット数により、電力許可テーブルを指定するために前記オフセット値を使用するように構成されることを特徴とする請求項３８記載のＷＴＲＵ。
【請求項４４】
前記受信機は直接送信として前記オフセット値を受信するように構成されることを特徴とする請求項３８記載のＷＴＲＵ。
【請求項４５】
前記受信機はチャネルの中の相対的なスロットのオフセットとして前記オフセット値を受信するように構成されることを特徴とする請求項３８記載のＷＴＲＵ。
【請求項４６】
前記受信機はハイブリッド無線ネットワーク一時識別子（Ｈ−ＲＮＴＩ）の関数として前記オフセット値を受信するように構成されることを特徴とする請求項３８記載のＷＴＲＵ。
【請求項４７】
前記受信機は拡張された絶対許可チャネル（Ｅ−ＡＧＣＨ）に使用される符号として前記オフセット値を受信するように構成されることを特徴とする請求項３８記載のＷＴＲＵ。
【請求項４８】
前記受信機は拡張された絶対許可チャネル（Ｅ−ＡＧＣＨ）に使用されるチャネル番号として前記オフセット値を受信するように構成されることを特徴とする請求項３８記載のＷＴＲＵ。
【請求項４９】
前記送信機は通信接続の継続時間を通して単一の指定された許可テーブルを使用するように構成されることを特徴とする請求項３５記載のＷＴＲＵ。
【請求項５０】
前記プロセッサは通信接続の間に前記テーブルの指定を再構成するように構成されることを特徴とする請求項３５記載のＷＴＲＵ。
【請求項５１】
前記受信機は無線リソース制御（ＲＣＣ）シグナリングにより無線アクセスネットワーク（ＲＡＮ）の中で信号を送信することによって前記指定されたテーブルを受信するように構成されることを特徴とする請求項３５記載のＷＴＲＵ。
【請求項５２】
前記プロセッサはレイヤ２またはレイヤ３シグナリングを使用して前記指定を再構成するように構成されることを特徴とする請求項５０記載のＷＴＲＵ。
【請求項５３】
前記受信機は各トランスポートブロックについて動的に信号で伝えられるとき前記指定されたテーブルを受信するように構成されることを特徴とする請求項５１記載のＷＴＲＵ。
【請求項５４】
前記メモリは第三世代パートナーシッププロジェクト（３ＧＰＰ）規格書２５．２１２、バーション７．５．０、セクション４．１０．１Ａ．１の中のテーブル１６Ｂおよび１６Ｂ．１２を格納するように構成されることを特徴とする請求項３５記載のＷＴＲＵ。
【請求項５５】
前記メモリは第三世代パートナーシッププロジェクト（３ＧＰＰ）規格書２５．３３１、バーション７．５．０、セクション１０．３．６．８６ａを使用して定義されるテーブルを格納するように構成されることを特徴とする請求項３５記載のＷＴＲＵ。
【請求項５６】
前記メモリは、前記より大きいテーブルが第三世代パートナーシッププロジェクト（３ＧＰＰ）規格書２５．２１２、バーション７．５．０、セクション４．１０．１Ａ．１の中のテーブル１６Ｂに電力値を追加することによって得られるとき前記より大きいテーブルを格納するように構成されることを特徴とする請求項３６記載のＷＴＲＵ。
【請求項５７】
前記送信機は１６ＱＡＭ変調および前記追加された電力値を使用して送信するように構成されることを特徴とする請求項５６記載のＷＴＲＵ。
【請求項５８】
前記メモリは第１および第２の電力許可テーブルを格納するように構成され、前記第２のテーブルは前記第１のテーブルから得られることを特徴とする請求項３５記載のＷＴＲＵ。
【請求項５９】
前記メモリは前もって構成された第１および第２の電力許可テーブルを格納するように構成されることを特徴とする請求項５８記載のＷＴＲＵ。
【請求項６０】
前記メモリは、前記第２のテーブルが前記第１のテーブルの中の電力レベル間の間隔を大きくすることによって得られるとき前記第２のテーブルを格納するように構成されることを特徴とする請求項５８記載の方法。
【請求項６１】
前記メモリは前記第１のテーブルとして第三世代パートナーシッププロジェクト（３ＧＰＰ）規格書２５．２１２、バーション７．５．０、セクション４．１０．１Ａ．１の中のテーブル１６Ｂを格納するように構成されることを特徴とする請求項５８記載のＷＴＲＵ。
【請求項６２】
前記メモリは前記第１のテーブルとして第三世代パートナーシッププロジェクト（３ＧＰＰ）規格書２５．２１２、バーション７．５．０、セクション４．１０．１Ａ．１の中のテーブル１６Ｂ．１２を格納するように構成されることを特徴とする請求項５８記載のＷＴＲＵ。
【請求項６３】
前記受信機は前記第１のテーブルがＲＲＣシグナリングにより信号で伝えられるとき前記第１のテーブルを受信するように構成されることを特徴とする請求項５８記載のＷＴＲＵ。
【請求項６４】
前記メモリは前記前もって構成された間隔として前記間隔を格納するように構成されることを特徴とする請求項６０記載のＷＴＲＵ。
【請求項６５】
前記受信機は前記間隔がＲＲＣシグナリングにより信号で伝えられるとき前記間隔を受信するように構成されることを特徴とする請求項６０記載のＷＴＲＵ。
【請求項６６】
前記プロセッサは前記間隔を動的に再構成するように構成されることを特徴とする請求項６５記載のＷＴＲＵ。
【請求項６７】
前記受信機は前記第２のテーブル全体を受信するように構成されることを特徴とする請求項５８記載のＷＴＲＵ。
【請求項６８】
前記受信機は前記第２のテーブルについて最初と最後の電力値を受信するように構成され、前記プロセッサは前記最初と最後の値から前記間隔を決定するように構成されることを特徴とする請求項６０記載のＷＴＲＵ。
【発明の詳細な説明】
【技術分野】
【０００１】
本発明は、無線通信に関する。
【背景技術】
【０００２】
無線通信においては、許容される一組の搬送波振幅、電力レベル、または電力レベルの比が、送信機に割り当てられる、または「許可される」ことが可能である。これらの値は動的である場合があり、許可（ｇｒａｎｔ）は、通信状態が変化するにつれて時間と共に変化する場合がある。
【０００３】
高速パケットアクセス（Ｈｉｇｈ−Ｓｐｅｅｄ  Ｐａｃｋｅｔ  Ａｃｃｅｓｓ、ＨＳＰＡ）は、既存の携帯電話通信プロトコルの性能を拡大して向上させる携帯電話通信プロトコルの集合である。より高速なシステムのスループットおよび性能を支援するためにＨＳＰＡを発展させた結果として、アップリンクで１６ＱＡＭ変調を取り入れることになった。高次変調（Ｈｉｇｈｅｒ  Ｏｒｄｅｒ  Ｍｏｄｕｌａｔｉｏｎ、ＨＯＭ）を支援するために必要とされる項目の１つが、改良型パイロットである。
【０００４】
改良型パイロットを提供するために、個別物理制御チャネル（Ｄｅｄｉｃａｔｅｄ  Ｐｈｙｓｉｃａｌ  Ｃｏｎｔｒｏｌ  Ｃｈａｎｎｅｌ、ＤＰＣＣＨ）の電力を上げること、拡張された個別物理制御チャネル（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ、Ｅ−ＤＰＣＣＨ）の電力を上げること、および第２のＤＰＣＣＨの導入など、いくつかの選択肢が開示されている。ＤＰＣＣＨの電力を上げる場合には、拡張された絶対許可チャネル（Ｅｎｈａｎｃｅｄ  Ａｂｓｏｌｕｔｅ  Ｇｒａｎｔ  Ｃｈａｎｎｅｌ、Ｅ−ＡＧＣＨ）が急にジャンプする必要があって、動作点がＢＰＳＫおよび１６ＱＡＭ変調に対する電力許可の境界付近であるとき、スケジューリングの問題が発生する。Ｅ−ＤＰＣＣＨの電力が上げられるか、または第２のＤＰＣＣＨが追加される場合には、電力比の範囲が拡大される必要がある可能性がある。電力比を大きくするにはより高い範囲をカバーするためにＥ−ＡＧＣＨがさらに多くのビットを有することが必要になり、あるいはＥ−ＡＧＣＨの絶対的な許可値の刻み幅を大きくしなければならない。
【０００５】
現在の解決法にはシステムに不利な点があり、実施の副次的影響に注意深く考慮する必要がある。Ｅ−ＤＰＣＣＨの電力を上げること、または第２のＤＰＣＣＨを追加することは、これがＥ−ＡＧＣＨの絶対的な許可値のマッピングテーブルを変更することを要求することになるが、システムに最小限の影響しか与えないはずであるので、有望な選択肢であるように思われる。
【０００６】
現行の改良されたＥ−ＡＧＣＨの絶対的な許可値のマッピングテーブルには、テーブルの更新の仕方に関するいくつかの問題がある。１つの解決法は、１６ＱＡＭに必要であるより高い電力比の範囲に対応するために、追加のインデックスを加えることであろう。この変更には、追加のインデックス値を含めるためにＥ−ＡＧＣＨにビットを追加する必要がある。追加のビットは、フォーマットの変更ならびに符号化の変更を必要とする。したがってビットの追加は、システム全体の構成に重大な影響を及ぼす。
【発明の概要】
【発明が解決しようとする課題】
【０００７】
１つの解決法は、ビット数、符号化、およびフォーマットなどのＥ−ＡＧＣＨのフォーマットを現状のままで維持することである。また現在のマッピングテーブルの構造を保持することも望ましい。
【課題を解決するための手段】
【０００８】
本発明は、ユーザの様々なカテゴリに複数の電力許可テーブルを使用する無線通信に関する。複数の電力許可テーブルは、無線送受信ユニット（ＷＴＲＵ）に格納される。ＷＴＲＵは、通信中に電力レベルを許可するためにどのテーブルが使用されるかを指定する信号を受信する。
【図面の簡単な説明】
【０００９】
【図１】拡大された許可テーブルの一例を示す図である。
【図２】複数の許可テーブルを使用する通信装置の一例を示す図である。
【発明を実施するための形態】
【００１０】
以下で言及するとき、「無線送受信ユニット（ＷＴＲＵ）」という用語は、ユーザ機器（ＵＥ）、移動局、固定式もしくは移動式の加入者ユニット、ページャ、携帯電話、携帯情報端末（ＰＤＡ）、コンピュータ、または無線環境で動作可能な他の任意のタイプのユーザ装置を含むが、これらに限定されない。以下で言及するとき、「基地局」という用語は、ノードＢ、サイトコントローラ、アクセスポイント（ＡＰ）、または無線環境で動作可能な他の任意のタイプのインターフェース装置を含むが、これらに限定されない。
【００１１】
本発明は、ＨＳＰＡという状況で説明しているが、この状況に限定されると解釈されるべきではなく、この状況は一例として使用している。
【００１２】
ＷＴＲＵには、複数の電力許可テーブルが格納される。第１の実施形態においてインデックスのオフセット値および拡大された電力許可テーブルを開示する。拡大されたテーブルから、複数の電力許可テーブルが得られる。一例として、複数のうちの１つのテーブルは、ＢＰＳＫ変調に使用することができる電力値を含むことができ、別のテーブルは、１６ＱＡＭ変調に使用することができる電力値を含む。オフセット値は、開始インデックスのポインタとして使用され、２つのトランシーバ間の最初の呼セットアップの一部として確立される。このような２つのトランシーバの一例は、レイヤ３シグナリングによる呼セットアップを開始するＷＴＲＵとノードＢである。オフセット値がＷＴＲＵに知られると、拡大された許可テーブルの使用される部分がＷＴＲＵに知られる。拡大されたテーブルはいかなるサイズとすることもでき、テーブルの適用可能な部分のみを使用するので、この方法は柔軟性をもたらす。
【００１３】
一例として図１を参照すると、元々３２個のインデックスを有する絶対的な許可値のテーブルが、３２個の新しいエントリを追加することによって６４個のインデックスに拡大されている。既存のテーブルは、図１では部分１５として示しており、０から３１のインデックス、および「絶対的な許可値」と見出しをつけられた欄に対応する電力比の値を含んでいる。電力比の値は、Ｅ−ＤＰＤＣＨの振幅とＤＰＣＣＨの振幅の比の二乗として示してある。（Ｅ−ＤＰＤＣＨは拡張された個別物理データチャネル（Ｅｎｈａｎｃｅｄ  Ｄｅｄｉｃａｔｅｄ  Ｐｈｙｓｉｃａｌ  Ｄａｔａ  Ｃｈａｎｎｅｌ）であり、ＤＰＣＣＨは個別物理制御チャネルである。）インデックス２４〜３１のエントリの中の表記×４、×６などは、これらのエントリのそれぞれについてＥ−ＤＰＤＣＨチャネルの数を示している。インデックス２４は４つのＥ−ＤＰＤＣＨチャネルと関連しており、インデックス２５は２つと関連しているなどである。
【００１４】
部分１５として示すテーブルは、第三世代パートナーシッププロジェクト（Ｔｈｉｒｄ  Ｇｅｎｅｒａｔｉｏｎ  Ｐａｒｔｎｅｒｓｈｉｐ  Ｐｒｏｊｅｃｔ、３ＧＰＰ）規格書２５．２１２、バージョン７．５．０、セクション４．１０．１Ａ．１の中で定義されている。この３２個の新しく定義されたエントリは、第２のテーブルを定義し、インデックス３２から６３を有する部分１０として示している。
【００１５】
図１の２つのテーブルは、１６ＱＡＭ変調の電力比にも、ＢＰＳＫ変調の電力比にも対応することができる。ＢＰＳＫ変調については、インデックスのオフセット値はゼロである。これは、０〜３１のインデックス値を含んでいるテーブルが、ＢＰＳＫに使用されることを示す。１６ＱＡＭ変調については、インデックスのオフセット値は３２である。これは、１６ＱＡＭのテーブルは３２〜６３のインデックス値を有するエントリを含むことを示す。変調方式がＢＰＳＫと１６ＱＡＭの間の境界にある場合は、１６というインデックスのオフセット値を使用することができる。これは、ＢＰＳＫの上の方の範囲（インデックス１６〜３１）および１６ＱＡＭの下の方の範囲（インデックス３２〜４７）を使用すること、結果としてインデックス番号１６から４７の値の範囲を使用することを示す。インデックスのオフセット値を示すのに使用されるビット数を減らすために、例えば６４よりさらに大きいインデックス数を有するテーブルのような大きいテーブルは、オフセット値に対応してセグメントに分割されることが可能である。例えば単にＢＰＳＫおよび１６ＱＡＭが使用される場合は、テーブル１の上半分１０が使用されるまたは下半分１５が使用されるかを決定するためにオフセット値を示すのにわずか１ビットを必要とする。
【００１６】
最初のセットアップに使用することができるビット数に応じて決まるカスタムの電力許可テーブルを指定するために、インデックスのオフセット値を使用することができる。この方法は、最初のセットアップに最小限の変更で柔軟性を与える。
【００１７】
テーブルの中のオフセット値は、複数の方法でＷＴＲＵに送信することができる。第１の代替形態は、セットアップ中に値を直接送信することである。オフセット値の直接送信は、いかなる所望のオフセット値にも適応するようにセットアップすることができる。
【００１８】
第２の代替形態は、オフセットを上部のサブフレーム境界に対するＡＧＣＨのスロットのオフセットによって決まるようにすることである。現在構成されているＡＧＣＨについて、これは３つの可能な値、すなわち０、１、または２を可能にする。
【００１９】
第３の代替形態は、オフセットをハイブリッド無線ネットワーク一時識別子（Ｈｙｂｒｉｄ  Ｒａｄｉｏ  Ｎｅｔｗｏｒｋ  Ｔｅｍｐｏｒａｒｙ  Ｉｄｅｎｔｉｆｉｅｒ、Ｈ−ＲＮＴＩ）の関数にすることである。Ｈ−ＲＮＴＩのオフセット値は、異なるオフセット値に対して前もって割り当てられることが可能である。
【００２０】
第４の代替形態は、オフセットをＡＧＣＨに使用されているＡＧＣＨの符号またはチャネル番号によって決まるようにすることである。異なるオフセット値に対してＡＧＣＨの符号化またはチャネル番号をセットアップすることができる。ＡＧＣＨには、現在１つの符号しか存在しない。異なるオフセットを表すために、同じレートおよびパンクチュアリング（ｐｕｎｃｔｕｒｉｎｇ）を有する他の複雑な符号を使用することができる。これは、正しい符号が選択されるまでＷＴＲＵがＡＧＣＨのデータのいくつかの復号化サイクルを行うことを必要とする場合がある。
【００２１】
第５の代替形態としては、オフセットは、無線アクセスネットワーク（ＲＡＮ）によって無線リソース制御（ＲＲＣ）シグナリングにより信号で伝えられることが可能である。オフセットの値、およびしたがって使用されている許可テーブルは、静的（すなわち接続の継続時間を通して同じオフセット）、半静的（すなわちＬ３もしくはＬ２シグナリングによって再構成可能）、または動的（すなわち新しいトランスポートブロックごとにノードＢに動的に信号で伝えられる）とすることが可能である。
【００２２】
第２の実施形態は、ＢＰＳＫ変調および１６ＱＡＭ変調のような異なる変調型に対して別個の電力許可テーブルを使用する。この場合、変調型によって使用するテーブルが決まるので、セットアップは必要とされない。適用できるテーブルは、変調型に基づいて指定される。一例として、ＢＰＳＫ変調については現在の絶対的な許可値のマッピングを使用することができ、１６ＱＡＭ変調については新しい許可テーブルを考案し、ＷＴＲＵに前もって構成するかまたはＷＴＲＵに信号で伝えることができる。ＢＰＳＫに使用することができる現在のテーブルは、第三世代パートナーシッププロジェクト（３ＧＰＰ）規格書２５．２１２、バージョン７．５．０、セクション４．１０．１Ａ．１の中で定義されている。この方法は、１６ＱＡＭ変調用の新しいテーブルを追加する以外、現在のシステムへの影響はない。
【００２３】
第３の実施形態は、既存の電力許可テーブルであるが、電力比の値に１つまたは複数のより大きな間隔を有して、この電力値がＢＰＳＫおよび１６ＱＡＭ変調もしくは他の変調型に適用されるようにしたものを使用する。これは、既存の許可テーブルを新しい値で更新することによって行われることが可能である。詳細には、ＷＴＲＵで使用される２つの電力許可テーブルは、第三世代パートナーシッププロジェクト（３ＧＰＰ）規格書２５．２１２、バーション７．５．０、セクション４．１０．１Ａ．１の中のテーブル１６Ｂおよびテーブル１６Ｂ．１２とすることができる。３ＧＰＰ規格書２５．３３１、バーション７．５．０、セクション１０．３．６．８６ａを使用して、テーブルを定義することもできる。許可テーブル、間隔、または両方を、ＷＴＲＵの中に前もって構成することができる。あるいはテーブル、間隔、または両方は、無線通信が確立されるとＷＴＲＵにＲＲＣシグナリングにより信号で伝えられる場合もある。後者の場合、テーブルまたは電力値間の間隔は、接続の存続期間を通してＲＲＣシグナリングにより動的に再構成可能とすることもできる。更新された許可テーブルは、テーブル全体を信号で伝える方法、最初と最後の電力許可値を信号で伝える方法、または電力値間の間隔を信号で伝える方法のうちの１つで、ＲＡＮによってＷＴＲＵに信号で伝えられることが可能である。
【００２４】
表１は、上述の実施形態および代替形態の概要を示している。
【００２５】
【表１】
2010518698.tif 000003
【００２６】
図２は、上述の方法により動作するように構成された無線送受信ユニット（ＷＴＲＵ）１００を示している。ＷＴＲＵ１００は、送信機および受信機として動作するトランシーバ１０５と、メモリ１１０と、プロセッサ１１５とを含んでいる。メモリ１１０は、複数の電力許可テーブルを格納する。トランシーバ１０５は、通信中に電力レベルを許可するためにどのテーブルが使用されるかを指定する信号を受信するように構成される。この信号は、上述のように許可テーブルを定義して指定するオフセットまたは間隔を含むことができる。トランシーバ１０５は、メモリ１１０に格納することができる許可テーブルを受信することができる。プロセッサ１１５は、信号の中の情報を処理し、使用される許可テーブルを指定し、指定したテーブルに基づいて送信電力を制御する。
【００２７】
実施形態
【００２８】
１．電力許可の指定を受信するように構成された無線送受信ユニット（ＷＴＲＵ）。
【００２９】
２．ＷＴＲＵは、電力許可テーブルを含む実施形態１のＷＴＲＵ。
【００３０】
３．電力許可は、変調型によって決まる実施形態１または２のＷＴＲＵ。
【００３１】
４．変調型は、直交振幅変調型である実施形態１から３のいずれか１つに記載のＷＴＲＵ。
【００３２】
５．第１の変調型は１６ＱＡＭであり、第２の変調型はＢＰＳＫである実施形態１から４のいずれか１つに記載のＷＴＲＵ。
【００３３】
６．電力許可テーブルは、絶対的な許可値およびインデックスを含む実施形態１から５のいずれか１つに記載のＷＴＲＵ。
【００３４】
７．ＷＴＲＵは、さらにインデックスのオフセット値を含む上記実施形態のいずれか１つに記載のＷＴＲＵ。
【００３５】
８．ＷＴＲＵは、インデックスのオフセット値を電力許可テーブルに適用するように構成される上記実施形態のいずれか１つに記載のＷＴＲＵ。
【００３６】
９．電力許可テーブルは、インデックスのオフセット値および電力許可テーブルを使用してＷＴＲＵによって指定される上記実施形態のいずれか１つに記載のＷＴＲＵ。
【００３７】
１０．電力レベルの信号は、Ｌ２またはＬ３シグナリングによって送信される上記実施形態のいずれか１つに記載のＷＴＲＵ。
【００３８】
１１．ＷＴＲＵは、インデックスのオフセット値を電力許可テーブルの中の開始点へのポインタとして使用するように構成される上記実施形態のいずれか１つに記載のＷＴＲＵ。
【００３９】
１２．電力許可テーブルは、非標準である上記実施形態のいずれか１つに記載のＷＴＲＵ。
【００４０】
１３．絶対許可チャネル（ＡＧＣＨ）のスロットのオフセットに基づいてインデックスのオフセット値を決定するように構成される上記実施形態のいずれか１つに記載のＷＴＲＵ。
【００４１】
１４．ＷＴＲＵは、ハイブリッド無線ネットワーク一時識別子（Ｈ−ＲＮＴＩ）に基づいてインデックスのオフセット値を決定するように構成される上記実施形態のいずれか１つに記載のＷＴＲＵ。
【００４２】
１５．ＷＴＲＵは、ＡＧＣＨの符号化方法に基づいてインデックスのオフセット値を決定するように構成される上記実施形態のいずれか１つに記載のＷＴＲＵ。
【００４３】
１６．ＷＴＲＵは、ＡＧＣＨのチャネル番号に基づいてインデックスのオフセット値を決定するように構成される上記実施形態のいずれか１つに記載のＷＴＲＵ。
【００４４】
１７．無線リソース制御シグナリングを使用してインデックスのオフセット値を受信するようにさらに構成される上記実施形態のいずれか１つに記載のＷＴＲＵ。
【００４５】
１８．インデックスのオフセット値は、静的である上記実施形態のいずれか１つに記載のＷＴＲＵ。
【００４６】
１９．ＷＴＲＵはＬ２およびＬ３シグナリングを使用して、インデックスのオフセット値を変更するように構成される上記実施形態のいずれか１つに記載のＷＴＲＵ。
【００４７】
２０．オフセット値を動的に変更するように構成される上記実施形態のいずれか１つに記載のＷＴＲＵ。
【００４８】
２１．トランスポートブロックと調整してオフセット値を変更するように構成される上記実施形態のいずれか１つに記載のＷＴＲＵ。
【００４９】
２２．ＷＴＲＵは、複数の電力許可テーブルをさらに含む上記実施形態のいずれか１つに記載のＷＴＲＵ。
【００５０】
２３．ＷＴＲＵは、変調型に基づいて電力許可テーブルを選択するように構成される上記実施形態のいずれか１つに記載のＷＴＲＵ。
【００５１】
２４．変調型は、１６ＱＡＭおよびＢＰＳＫの変調型を含む上記実施形態のいずれか１つに記載のＷＴＲＵ。
【００５２】
２５．電力許可テーブルは、電力間隔をさらに含む上記実施形態のいずれか１つに記載のＷＴＲＵ。
【００５３】
２６．電力許可間隔は複数の変調方式を含むように構成され、電力許可テーブルのサイズは不変である上記実施形態のいずれか１つに記載のＷＴＲＵ。
【００５４】
２７．ＲＲＣシグナリングにより電力許可を受信するように構成される上記実施形態のいずれか１つに記載のＷＴＲＵ。
【００５５】
２８．電力許可テーブルの中の最高値および最低値を受信するように構成される上記実施形態のいずれか１つに記載のＷＴＲＵ。
【００５６】
２９．電力許可間隔を受信するように構成される上記実施形態のいずれか１つに記載のＷＴＲＵ。
【００５７】
３０．電力許可テーブルは、第三世代パートナーシッププロジェクト（３ＧＰＰ）規格書２５．２１２、バーション７．５．０、セクション４．１０．１Ａ．１の中で定義されている上記実施形態のいずれか１つに記載のＷＴＲＵ。
【００５８】
３１．電力許可テーブルを受信するステップと、
電力許可テーブルを調整するステップと
を具えた無線送受信ユニット（ＷＴＲＵ）の中に電力許可を設定する方法。
【００５９】
３２．Ｌ２またはＬ３シグナリングを使用して、電力許可テーブル、電力許可テーブルへの調整、または両方を信号で伝えること含む実施形態３１記載の方法。
【００６０】
３３．オフセット値を受信するステップと、
電力レベルを決定するためにこのオフセット値を絶対的な許可テーブルに適用するステップと
を含む実施形態３１または３２記載の方法。
【００６１】
３４．オフセット値を絶対的な許可テーブルの中で電力レベルのインデックスに適用するステップを含む実施形態３３記載の方法。
【００６２】
３５．オフセット値を絶対的な許可テーブルの中で開始インデックスへのポインタとして使用するステップを含む実施形態３４に記載の方法。
【００６３】
３６．絶対許可チャネル（ＡＧＣＨ）に基づいてオフセット値を決定することをさらに含む実施形態３３から３５のいずれか１つに記載の方法。
【００６４】
３７．ハイブリッド無線ネットワーク識別子（Ｈ−ＲＮＴＩ）に基づいてオフセット値を決定することをさらに含む実施形態３３から３５のいずれか１つに記載の方法。
【００６５】
３８．ＡＧＣＨの符号化方法に基づいてオフセット値を決定することを含む実施形態３５から３７のいずれか１つに記載の方法。
【００６６】
３９．ＡＧＣＨのチャネル番号に基づいてオフセット値を決定することを含む実施形態３５から３８のいずれか１つに記載の方法。
【００６７】
４０．ＷＴＲＵへの無線リソース制御シグナリングを使用してオフセット値を受信することをさらに含む実施形態３５から３９のいずれか１つに記載の方法。
【００６８】
４１．オフセット値は、静的である実施形態３５から４０のいずれか１つに記載の方法。
【００６９】
４２．オフセット値は、再構成可能である実施形態３５から４１のいずれか１つに記載の方法。
【００７０】
４３．オフセット値は動的に調整される実施形態３５から４２のいずれか１つに記載の方法。
【００７１】
４４．トランスポートブロックと調整してオフセット値を変更することを含む実施形態３５から４３のいずれか１つに記載の方法。
【００７２】
４５．電力レベルを決定するために複数の絶対的な許可テーブルを使用することをさらに具えた実施形態３１から４３のいずれか１つに記載の方法。
【００７３】
４６．絶対的な許可テーブルは、変調型に対応する実施形態３１から４５のいずれか１つに記載の方法。
【００７４】
４７．変調型は、直交振幅変調型である実施形態４６記載の方法。
【００７５】
４８．第１の変調型は１６ＱＡＭであり、第２の変調型はＢＰＳＫである実施形態４６または４７記載の方法。
【００７６】
４９．絶対的な許可テーブルを受信することをさらに具えた実施形態３１から４８のいずれか１つに記載の方法。
【００７７】
５０．最小電力比および最大電力比を受信することをさらに具えた実施形態３１から４９のいずれか１つに記載の方法。
【００７８】
５１．電力比間の間隔を受信することをさらに具えた実施形態３５から５０のいずれか１つに記載の方法。
【００７９】
５２．絶対的な許可テーブルは第三世代パートナーシッププロジェクト（３ＧＰＰ）規格書２５．２１２、バーション７．５．０、セクション４．１０．１Ａ．１の中で定義されている実施形態３５から５１のいずれか１つに記載の方法。
【００８０】
５３．少なくとも２つの電力許可テーブルを格納し、電力許可にどのテーブルが使用されるかを指定する指定情報を受信するように構成される実施形態１から３０のいずれか１つに記載のＷＴＲＵ。
【００８１】
５４．格納されたテーブルは、第三世代パートナーシッププロジェクト（３ＧＰＰ）規格書２５．２１２、バーション７．５．０、セクション４．１０．１Ａ．１の中のテーブル１６ｂおよび１６ｂ．１２を含む実施形態５３に記載のＷＴＲＵ。
【００８２】
５５．少なくとも２つの電力許可テーブルを格納するステップと、電力許可にどのデーブルが使用されるかを指定する指定情報を受信するステップとを含む実施形態３１から５２のいずれか１つに記載の方法。
【００８３】
５６．第三世代パートナーシッププロジェクト（３ＧＰＰ）規格書２５．２１２、バーション７．５．０、セクション４．１０．１Ａ．１の中のテーブル１６ｂおよび１６ｂ．１２を格納するステップを含む実施形態５５記載の方法。
【００８４】
本開示の特徴および要素を特定の組合せで説明しているが、各特徴もしくは要素を他の特徴もしくは要素なしに単独で、または他の特徴および要素を含めたもしくは含まない様々な組合せで使用することができる。本開示で提供される方法または流れ図は、汎用コンピュータまたはプロセッサによって実行される、コンピュータ可読記憶媒体に実体的に組み入れられたコンピュータプログラム、ソフトウェア、またはファームウェアで実施されることが可能である。コンピュータ可読媒体の例には、読み出し専用メモリ（ＲＯＭ）、ランダムアクセスメモリ（ＲＡＭ）、レジスタ、キャッシュメモリ、半導体メモリ素子、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体が含まれる。
【００８５】
例として好適なプロセッサには、汎用プロセッサ、専用プロセッサ、従来のプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（Ｆｅｉｌｄ  Ｐｒｏｇｒａｍｍａｂｌｅ  Ｇａｔｅ  Ａｒｒａｙ、ＦＰＧＡ）回路、その他の任意の型の集積回路（ＩＣ）、および／またはステートマシンが含まれる。
【００８６】
ソフトウェアと関連したプロセッサを使用して、無線送受信ユニット（ＷＴＲＵ）、ユーザ機器（ＵＥ）、端末、基地局、無線ネットワークコントローラ（ＲＮＣ）、またはいずれかのホストコンピュータで使用する無線周波数トランシーバを実装することができる。ＷＴＲＵはモジュールと併せて使用され、カメラ、ビデオカメラモジュール、テレビ電話、スピーカフォン、振動装置、スピーカ、マイクロフォン、テレビのトランシーバ、ハンズフリーヘッドセット、キーボード、Ｂｌｕｅｔｏｏｔｈ（登録商標）モジュール、周波数変調（ＦＭ）無線装置、液晶ディスプレイ（ＬＣＤ）表示装置、有機発光ダイオード（ＯＬＥＤ）表示装置、デジタル音楽プレーヤー、メディアプレーヤー、ビデオゲームプレーヤーモジュール、インターネットブラウザ、および／またはいずれかの無線ローカルエリアネットワーク（ＷＬＡＮ）モジュールなど、ハードウェアおよび／またはソフトウェアに実装されることが可能である。
【図１】
2010518698.tif 000004
【図２】
2010518698.tif 000005
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）に電力許可を与える方法であって、
複数の電力許可テーブル（１０、１５）を格納するステップと、
通信中に電力レベルを許可するためにどのテーブルが使用されるかを指定する信号を受信するステップと
を具えたことを特徴とする方法。
【請求項２】
各電力許可テーブルはより大きいテーブルの一部分であり、前記信号は電力レベルを許可するために使用される前記部分を指定することを特徴とする請求項１記載の方法。
【請求項３】
前記指定することは、使用されている変調型に基づいていることを特徴とする請求項１記載の方法。
【請求項４】
前記信号の中のオフセット値を受信するステップと、
使用される前記部分を指定するために前記オフセット値を使用するステップと
を含むことを特徴とする請求項２記載の方法。
【請求項５】
前記より大きいテーブルの中の各電力値にインデックスを割り当てるステップと、
前記テーブルの前記部分の始めを示しているインデックスへのポインタとして前記オフセット値を使用することによって、使用される前記テーブルの前記部分を指定するステップと
を含むことを特徴とする請求項４記載の方法。
【請求項６】
前記変調型は、直交振幅変調（ＱＡＭ）型であることを特徴とする請求項３記載の方法。
【請求項７】
前記ＱＡＭ型は、二値位相偏移符号化（ＢＰＳＫ）および１６シンボルのＱＡＭ（１６ＱＡＭ）のうちの１つであることを特徴とする請求項６記載の方法。
【請求項８】
前記無線送受信ユニット（ＷＴＲＵ）との通信の最初のセットアップの一部としてどのテーブルが使用されるかを指定するステップを含むことを特徴とする請求項１記載の方法。
【請求項９】
前記最初のセットアップに使用することができるビット数により、電力許可テーブルを指定するために前記オフセット値を使用するステップを含むことを特徴とする請求項４記載の方法。
【請求項１０】
直接送信として前記オフセット値を受信するステップを含むことを特徴とする請求項４記載の方法。
【請求項１１】
チャネルの中の相対的なスロットのオフセットとして前記オフセット値を受信するステップを含むことを特徴とする請求項４記載の方法。
【請求項１２】
ハイブリッド無線ネットワーク一時識別子（Ｈ−ＲＮＴＩ）の関数として前記オフセット値を受信するステップを含むことを特徴とする請求項４記載の方法。
【請求項１３】
拡張された絶対許可チャネル（Ｅ−ＡＧＣＨ）に使用される符号として前記オフセット値を受信するステップを含むことを特徴とする請求項４記載の方法。
【請求項１４】
拡張された絶対許可チャネル（Ｅ−ＡＧＣＨ）に使用されるチャネル番号として前記オフセット値を受信するステップを含むことを特徴とする請求項４記載の方法。
【請求項１５】
前記指定されたテーブルは通信接続の継続時間を通して変更されないことを特徴とする請求項１記載の方法。
【請求項１６】
前記テーブルの指定は通信接続の間に再構成可能であることを特徴とする請求項１記載の方法。
【請求項１７】
無線リソース制御（ＲＲＣ）シグナリングにより無線アクセスネットワーク（ＲＡＮ）の中で信号を送ることによって前記指定されたテーブルを受信するステップを含むことを特徴とする請求項１記載の方法。
【請求項１８】
レイヤ２またはレイヤ３シグナリングを使用して、前記指定を再構成することを含むことを特徴とする請求項１６記載の方法。
【請求項１９】
前記指定されたテーブルは、各トランスポートブロックについて動的に信号で伝えられることを特徴とする請求項１７記載の方法。
【請求項２０】
前記より大きいテーブルは、既存のテーブルに電力値を追加することによって得られることを特徴とする請求項２記載の方法。
【請求項２１】
前記追加された電力値は、１６ＱＡＭ変調に使用されることを特徴とする請求項２０記載の方法。
【請求項２２】
第１および第２の電力許可テーブルを格納することを含み、前記第２のテーブルは前記第１のテーブルから得られることを特徴とする請求項１記載の方法。
【請求項２３】
前記第１および第２のテーブルは、前記ＷＴＲＵの中に前もって構成されていることを特徴とする請求項２２記載の方法。
【請求項２４】
前記第２のテーブルは前記第１のテーブルの中の電力レベル間の間隔を大きくすることによって得られることを特徴とする請求項２２記載の方法。
【請求項２５】
ＲＣＣシグナリングにより前記第１のテーブルを信号で伝えることを含むことを特徴とする請求項２２記載の方法。
【請求項２６】
前記間隔は、前記ＷＴＲＵの中に前もって構成されていることを特徴とする請求項２４記載の方法。
【請求項２７】
ＲＣＣシグナリングにより前記間隔を信号で伝えることを含むことを特徴とする請求項２４記載の方法。
【請求項２８】
ＲＣＣシグナリングにより前記間隔を動的に再構成することを含むことを特徴とする請求項２７記載の方法。
【請求項２９】
前記第２のテーブル全体を前記ＷＴＲＵに信号で伝えることを含むことを特徴とする請求項２２記載の方法。
【請求項３０】
前記第２のテーブルの最初と最後の電力値を信号で伝えることによって前記間隔を前記ＷＴＲＵに信号で伝えることを含むことを特徴とする請求項２４記載の方法。
【請求項３１】
複数の電力許可テーブルを格納するように構成されたメモリ（１１０）と、
通信中に電力レベルを許可するためにどのテーブルが使用されるかを指定する信号を受信するように構成された受信機（１０５）と、
前記許可された電力レベルを使用して情報を送信するように構成された送信機（１０５）と、
前記信号を処理し、使用される前記許可テーブルを指定し、かつ前記指定したテーブルに基づいて送信電力を制御するように構成されたプロセッサ（１１５）と
を具えたことを特徴とする無線送受信ユニット（ＷＴＲＵ）。
【請求項３２】
前記プロセッサは、使用される前記許可テーブルとしてより大きいテーブルの一部分を指定するように構成されることを特徴とする請求項３１記載の無線送受信ユニット（ＷＴＲＵ）。
【請求項３３】
前記プロセッサは、変調型に基づいて前記許可テーブルを指定するように構成されることを特徴とする請求項３１記載の無線送受信ユニット（ＷＴＲＵ）。
【請求項３４】
前記受信機は、前記テーブルの前記部分を指定するためにオフセット値を受信するように構成されることを特徴とする請求項３２記載の無線送受信ユニット（ＷＴＲＵ）。
【請求項３５】
前記メモリは各電力値についてのインデックスを含んでいるテーブルを格納するように構成され、前記プロセッサは前記テーブルの前記部分の始めを示すインデックスへのポインタとして前記オフセット値を使用することによって使用される前記部分を指定するように構成されることを特徴とする請求項３４記載の無線送受信ユニット（ＷＴＲＵ）。
【請求項３６】
前記変調型は、直交振幅変調（ＱＡＭ）型であることを特徴とする請求項３３記載の無線送受信ユニット（ＷＴＲＵ）。
【請求項３７】
前記ＱＡＭ型は、二位相偏移符号化（ＢＰＳＫ）および１６シンボルのＱＡＭ（１６ＱＡＭ）のうちの１つであることを特徴とする請求項３６記載の無線送受信ユニット（ＷＴＲＵ）。
【請求項３８】
前記プロセッサは、前記ＷＴＲＵとの通信の最初のセットアップの一部としてどのテーブルが使用されるかを指定するように構成されることを特徴とする請求項３１記載の無線送受信ユニット（ＷＴＲＵ）。
【請求項３９】
前記プロセッサは、前記最初のセットアップで使用することができるビット数により、電力許可テーブルを指定するために前記オフセット値を使用するように構成されることを特徴とする請求項３４記載の無線送受信ユニット（ＷＴＲＵ）。
【請求項４０】
前記受信機は、直接送信として前記オフセット値を受信するように構成されることを特徴とする請求項３４記載の無線送受信ユニット（ＷＴＲＵ）。
【請求項４１】
前記受信機は、チャネルの中の相対的なスロットのオフセットとして前記オフセット値を受信するように構成されることを特徴とする請求項３４記載の無線送受信ユニット（ＷＴＲＵ）。
【請求項４２】
前記受信機は、ハイブリッド無線ネットワーク一時識別子（Ｈ−ＲＮＴＩ）の関数として前記オフセット値を受信するように構成されることを特徴とする請求項３４記載の無線送受信ユニット（ＷＴＲＵ）。
【請求項４３】
前記受信機は、拡張された絶対許可チャネル（Ｅ−ＡＧＣＨ）に使用される符号として前記オフセット値を受信するように構成されることを特徴とする請求項３４記載の無線送受信ユニット（ＷＴＲＵ）。
【請求項４４】
前記受信機は、拡張された絶対許可チャネル（Ｅ−ＡＧＣＨ）に使用されるチャネル番号として前記オフセット値を受信するように構成されることを特徴とする請求項３４記載の無線送受信ユニット（ＷＴＲＵ）。
【請求項４５】
前記送信機は、通信接続の継続時間を通して単一の指定された許可テーブルを使用するように構成されることを特徴とする請求項３１記載の無線送受信ユニット（ＷＴＲＵ）。
【請求項４６】
前記プロセッサは、通信接続の間に前記テーブルの指定を再構成するように構成されることを特徴とする請求項３１記載の無線送受信ユニット（ＷＴＲＵ）。
【請求項４７】
前記受信機は、無線リソース制御（ＲＣＣ）シグナリングにより無線アクセスネットワーク（ＲＡＮ）の中で信号を送信することによって前記指定されたテーブルを受信するように構成されることを特徴とする請求項３１記載の無線送受信ユニット（ＷＴＲＵ）。
【請求項４８】
前記プロセッサは、レイヤ２またはレイヤ３シグナリングを使用して前記指定を再構成するように構成されることを特徴とする請求項４６記載の無線送受信ユニット（ＷＴＲＵ）。
【請求項４９】
前記受信機は、各トランスポートブロックについて動的に信号で伝えられるとき前記指定されたテーブルを受信するように構成されることを特徴とする請求項４７記載の無線送受信ユニット（ＷＴＲＵ）。
【請求項５０】
前記メモリは、前記より大きいテーブルが既存のテーブルに電力値を追加することによって得られるとき前記より大きいテーブルを格納するように構成されることを特徴とする請求項３２記載の無線送受信ユニット（ＷＴＲＵ）。
【請求項５１】
前記送信機は、１６ＱＡＭ変調および前記追加された電力値を使用して送信するように構成されることを特徴とする請求項５０記載の無線送受信ユニット（ＷＴＲＵ）。
【請求項５２】
前記メモリは、第１および第２の電力許可テーブルを格納するように構成され、前記第２のテーブルは前記第１のテーブルから得られることを特徴とする請求項３１記載の無線送受信ユニット（ＷＴＲＵ）。
【請求項５３】
前記メモリは、前もって構成された第１および第２の電力許可テーブルを格納するように構成されることを特徴とする請求項５２記載の無線送受信ユニット（ＷＴＲＵ）。
【請求項５４】
前記メモリは、前記第２のテーブルが前記第１のテーブルの中の電力レベル間の間隔を大きくすることによって得られるとき前記第２のテーブルを格納するように構成されることを特徴とする請求項５記載の無線送受信ユニット（ＷＴＲＵ）。
【請求項５５】
前記受信機は、前記第１のテーブルがＲＲＣシグナリングにより信号で伝えられるとき前記第１のテーブルを受信するように構成されることを特徴とする請求項５２記載の無線送受信ユニット（ＷＴＲＵ）。
【請求項５６】
前記メモリは、前記前もって構成された間隔として前記間隔を格納するように構成されることを特徴とする請求項５４記載の無線送受信ユニット（ＷＴＲＵ）。
【請求項５７】
前記受信機は、前記間隔がＲＲＣシグナリングにより信号で伝えられるとき前記間隔を受信するように構成されることを特徴とする請求項５４記載の無線送受信ユニット（ＷＴＲＵ）。
【請求項５８】
前記プロセッサは、前記間隔を動的に再構成するように構成されることを特徴とする請求項５７記載の無線送受信ユニット（ＷＴＲＵ）。
【請求項５９】
前記受信機は、前記第２のテーブル全体を受信するように構成されることを特徴とする請求項５２記載の無線送受信ユニット（ＷＴＲＵ）。
【請求項６０】
前記受信機は、前記第２のテーブルについて最初と最後の電力値を受信するように構成され、前記プロセッサは、前記最初と最後の値から前記間隔を決定するように構成されることを特徴とする請求項５４記載の無線送受信ユニット（ＷＴＲＵ）。
【国際調査報告】
2010518698.tif 000006
2010518698.tif 000007
2010518698.tif 000008